(57)【要約】【課題】給紙トレイの大型化を抑制することにより装置全体および装置本体の小型化を容易に図ることが可能な給紙装置および画像形成装置を提供する。【解決手段】この複合機１００（画像形成装置）は、トレイ本体部１１を含む給紙トレイ１０と、給紙トレイ１０が装着され、給紙トレイ１０から給紙された最大用紙５を搬送可能な装置本体９０とを備え、トレイ本体部１１の給紙方向の長さＬ２を、装置本体９０側に給紙可能な最大寸法を有する最大用紙５の給紙方向の長さＬ３よりも小さく構成する。そして、トレイ本体部１１が装置本体９０よりも外側にはみ出さず、かつ、トレイ本体部１１に載置された最大用紙５がトレイ本体部１１よりも装置本体９０の外側に向かってはみ出すはみ出し部分５ｃを有した状態で、最大用紙５が装置本体９０側に給紙される。【選択図】図１
2015034080.tif 000002
【特許請求の範囲】
【請求項１】
用紙が載置されるトレイ本体部を含む給紙トレイと、
前記給紙トレイが装着され、前記給紙トレイから給紙された前記用紙を搬送可能に構成された装置本体とを備え、
前記トレイ本体部の給紙方向の長さは、前記装置本体側に給紙可能な最大寸法を有する最大用紙の給紙方向に沿った長さよりも小さく構成されており、
前記トレイ本体部が前記装置本体よりも外側にはみ出さず、かつ、前記トレイ本体部に載置された前記最大用紙が前記トレイ本体部よりも前記装置本体の外側に向かってはみ出すはみ出し部分を有した状態で、前記最大用紙が前記装置本体側に給紙されるように構成されている、給紙装置。
【請求項２】
前記給紙トレイは、前記トレイ本体部の後端側でかつ前記最大用紙の載置領域以外の部分に露出可能に前記トレイ本体部に設けられた把持部をさらに含み、
前記トレイ本体部に前記はみ出し部分を有する前記最大用紙が載置された状態でユーザにより前記把持部が把持されることによって、前記給紙トレイの前記装置本体に対する着脱作業が行われるように構成されている、請求項１に記載の給紙装置。
【請求項３】
前記把持部は、前記トレイ本体部の後端側から前記トレイ本体部に載置された前記最大用紙のはみ出し部分の少なくとも下方領域にまで突出するように構成されており、
前記把持部と前記最大用紙のはみ出し部分の下面とは、互いに離間している、請求項２に記載の給紙装置。
【請求項４】
前記把持部は、前記トレイ本体部の用紙載置面に沿ってスライド移動可能かまたは回動可能に取り付けられており、
前記把持部は、前記給紙トレイが前記装置本体に装着された状態でスライド移動されるかまたは回動されることにより前記トレイ本体部の裏面側に収納可能に構成されている、請求項２または３に記載の給紙装置。
【請求項５】
前記把持部は、前記給紙トレイの非使用時に、前記給紙トレイが前記装置本体に装着された状態で前記装置本体の外部に開口する前記トレイ本体部の後端近傍を塞ぐことが可能に構成されている、請求項２または３に記載の給紙装置。
【請求項６】
前記トレイ本体部は、前記トレイ本体部に載置された前記最大用紙のはみ出し部分が下方に垂れ下がるのが抑制されるように前記最大用紙を支持する支持部を有する、請求項１〜５のいずれか１項に記載の給紙装置。
【請求項７】
前記支持部は、前記トレイ本体部に載置される前記最大用紙の前端側から前記はみ出し部分側に向かって前記最大用紙が上反り形状を有するように前記最大用紙を支持するように形成されている、請求項６に記載の給紙装置。
【請求項８】
前記把持部は、前記トレイ本体部の後端側から前記トレイ本体部に載置された前記最大用紙のはみ出し部分よりも後方まで突出するように構成されており、
前記把持部は、前記最大用紙のはみ出し部分よりも後方まで突出した状態で、前記最大用紙のはみ出し部分の後端位置をガイドするガイド部を有する、請求項２〜４のいずれか１項に記載の給紙装置。
【請求項９】
前記ガイド部は、前記トレイ本体部に載置された前記最大用紙の載置枚数を規制するために前記最大用紙のはみ出し部分の上面側に延びる規制部を有する、請求項８に記載の給紙装置。
【請求項１０】
用紙が載置されるトレイ本体部を含む給紙トレイと、
前記給紙トレイが装着され、前記給紙トレイから給紙された前記用紙を搬送可能に構成された装置本体と、
前記装置本体内で前記用紙に画像を印刷する印刷部とを備え、
前記トレイ本体部の給紙方向の長さは、前記装置本体側に給紙可能な最大寸法を有する最大用紙の給紙方向に沿った長さよりも小さく構成されており、
前記トレイ本体部が前記装置本体よりも外側にはみ出さず、かつ、前記トレイ本体部に載置された前記最大用紙が前記トレイ本体部よりも前記装置本体の外側に向かってはみ出すはみ出し部分を有した状態で、前記最大用紙が前記装置本体側に給紙されるように構成されている、画像形成装置。
【発明の詳細な説明】
【技術分野】
【０００１】
この発明は、給紙装置および画像形成装置に関し、特に、給紙トレイと、給紙トレイから給紙される用紙を搬送可能に構成された装置本体とを備えた給紙装置および画像形成装置に関する。
【背景技術】
【０００２】
従来、給紙トレイと、給紙トレイから給紙される用紙を搬送可能に構成された装置本体とを備えた画像形成装置などが知られている（たとえば、特許文献１参照）。
【０００３】
上記特許文献１には、感光体ドラムおよび転写ローラを有する印刷部と、印刷部に対して記録紙（用紙）を搬送する記録紙搬送機構とが内蔵された装置本体と、装置本体の外側面（前面）に回動可能に設けられた給紙トレイとを備えたレーザビームプリンタ（画像形成装置）が開示されている。この特許文献１に記載のレーザビームプリンタでは、給紙トレイが装置本体の略垂直な前面から外側下方に回動されて略水平な状態に保持されるように構成されている。また、略水平な状態に保持された給紙トレイにサイズの大きい記録紙の後端領域が載置された状態で記録紙の前端領域が装置本体の前面下部に形成された開口部を介して装置本体内部の給紙位置まで差し込まれるように構成されている。
【先行技術文献】
【特許文献】
【０００４】
【特許文献１】特開２００６−１２４１４７号公報
【発明の概要】
【発明が解決しようとする課題】
【０００５】
上記特許文献１に記載のレーザビームプリンタでは、給紙トレイを水平位置まで回動させ装置本体から外方向に載置面を突出させて大きいサイズの記録紙の給紙にも対応可能に構成されている一方、記録紙の給紙方向に沿った長さに合わせて給紙トレイのサイズを大きく構成する必要がある。しかしながら、給紙トレイのサイズを記録紙に合わせて大きくした場合、給紙時（水平回動時）には装置本体の前面から外方向に給紙トレイが大きく突出する（はみ出す）ため給紙トレイを含む装置全体が大型化するという問題点がある。また、給紙トレイのサイズを記録紙に合わせて大きくした場合、給紙トレイの収納時（垂直回動時）には給紙トレイが装置本体の前面を広範囲に覆うため前面以外など給紙トレイに覆われない部分に操作部を配置する必要があり装置本体も大型化しかねない。このように、給紙トレイの大型化が装置全体および装置本体の小型化の際の支障になる場合もあると考えられる。
【０００６】
この発明は、上記のような課題を解決するためになされたものであり、この発明の１つの目的は、給紙トレイの大型化を抑制することにより装置全体および装置本体の小型化を容易に図ることが可能な給紙装置および画像形成装置を提供することである。
【課題を解決するための手段】
【０００７】
この発明の第１の局面による給紙装置は、用紙が載置されるトレイ本体部を含む給紙トレイと、給紙トレイが装着され、給紙トレイから給紙された用紙を搬送可能に構成された装置本体とを備え、トレイ本体部の給紙方向の長さは、装置本体側に給紙可能な最大寸法を有する最大用紙の給紙方向に沿った長さよりも小さく構成されており、トレイ本体部が装置本体よりも外側にはみ出さず、かつ、トレイ本体部に載置された最大用紙がトレイ本体部よりも装置本体の外側に向かってはみ出すはみ出し部分を有した状態で、最大用紙が装置本体側に給紙されるように構成されている。なお、本発明における用紙とは、印刷前の白紙状態の紙製のものに加えて、ＯＨＰシートなどの透明なフィルム状のシートを給紙する場合も含む広い概念である。また、画像などが印刷された原稿を装置本体側で読み取る場合に給紙されるような場合の用紙も本発明における用紙に含まれる。
【０００８】
この発明の第１の局面による給紙装置では、上記のように、トレイ本体部が装置本体よりも外側にはみ出さず、かつ、トレイ本体部に載置された最大用紙がトレイ本体部よりも装置本体の外側に向かってはみ出すはみ出し部分を有した状態で、最大用紙が装置本体側に給紙されるように構成されることによって、給紙可能な最大用紙を装置本体側に給紙する場合においても、トレイ本体部が最大用紙の給紙方向に沿った長さに対応する大きさでかつ装置本体よりも外側にはみ出すような大きさの給紙トレイを装置本体に装着することなく、トレイ本体部が装置本体よりも外側にはみ出さない小さい給紙トレイを用いて最大用紙の給紙を行うことができる。これにより、給紙トレイのサイズを給紙可能な最大用紙のサイズに合わせる必要がないので、給紙トレイの大型化を抑制するのとともに、給紙トレイを含む装置全体および給紙トレイの装着される装置本体の小型化をも容易に図ることができる。
【０００９】
上記第１の局面による給紙装置において、好ましくは、給紙トレイは、トレイ本体部の後端側でかつ最大用紙の載置領域以外の部分に露出可能にトレイ本体部に設けられた把持部をさらに含み、トレイ本体部にはみ出し部分を有する最大用紙が載置された状態でユーザにより把持部が把持されることによって、給紙トレイの装置本体に対する着脱作業が行われるように構成されている。このように構成すれば、ユーザは、装置本体よりも外側にはみ出すことなく装置本体内に装着されたトレイ本体部を把持部を把持しながら装置本体から容易に取り出すことができる。この際、載置された用紙（最大用紙）に隠れてトレイ本体部にアクセスしにくいような給紙トレイであっても、用紙の載置領域以外の部分に露出可能にトレイ本体部に設けられた把持部を介して用紙（最大用紙）に触れることなく給紙トレイを装置本体から取り出すことができる。また、はみ出し部分を有する最大用紙に触れることなく把持部を介してトレイ本体部を押し込みながら装着することもできるので、給紙トレイの使い勝手を向上させることができる。
【００１０】
上記給紙トレイが把持部をさらに含む構成において、好ましくは、把持部は、トレイ本体部の後端側からトレイ本体部に載置された最大用紙のはみ出し部分の少なくとも下方領域にまで突出するように構成されており、把持部と最大用紙のはみ出し部分の下面とは、互いに離間している。このように構成すれば、最大用紙のはみ出し部分の下面から離間した位置に把持部が配置されているので、ユーザは、最大用紙のはみ出し部分に触れずに把持部を容易に把持することができる。また、把持部の把持時に最大用紙のはみ出し部分にユーザの手を触れにくくすることができるので、最大用紙の載置状態（積層状態）を容易に正常に維持することができる。また、上記とは反対に、把持部と最大用紙のはみ出し部分の下面との離間領域（隙間）にユーザが手を差し入れてトレイ本体部上の最大用紙を必要に応じて容易に抜き取ることもできるので、把持部を設けても使い勝手のよい給紙トレイに保つことができる。
【００１１】
上記給紙トレイが把持部をさらに含む構成において、好ましくは、把持部は、トレイ本体部の用紙載置面に沿ってスライド移動可能かまたは回動可能に取り付けられており、把持部は、給紙トレイが装置本体に装着された状態でスライド移動されるかまたは回動されることによりトレイ本体部の裏面側に収納可能に構成されている。このように構成すれば、給紙装置の製品出荷時やユーザが給紙装置を使用しない場合には、把持部がトレイ本体部の裏面側に収納された状態で給紙トレイを装置本体内に装着しておくことができるので、把持部が装置本体よりも外側にはみ出すのを容易に防止することができる。
【００１２】
上記給紙トレイが把持部をさらに含む構成において、好ましくは、把持部は、給紙トレイの非使用時に、給紙トレイが装置本体に装着された状態で装置本体の外部に開口するトレイ本体部の後端近傍を塞ぐことが可能に構成されている。このように構成すれば、把持部によって装置本体の外部に開口するトレイ本体部の後端近傍が塞がれるので、外部の塵や埃などの異物がトレイ本体部に侵入するのを容易に防止することができる。また、把持部を給紙トレイ非使用時の蓋部材として有効に利用することができる。
【００１３】
上記第１の局面による給紙装置において、好ましくは、トレイ本体部は、トレイ本体部に載置された最大用紙のはみ出し部分が下方に垂れ下がるのが抑制されるように最大用紙を支持する支持部を有する。このように構成すれば、用紙（最大用紙）を支持する支持部によって最大用紙のはみ出し部分がテーブル上面などの給紙装置の載置面に向けて下方に垂れ下がらない状態で最大用紙をトレイ本体部上に積層させることができるので、用紙の積層状態を正常に維持することができる。
【００１４】
この場合、好ましくは、支持部は、トレイ本体部に載置される最大用紙の前端側からはみ出し部分側に向かって最大用紙が上反り形状を有するように最大用紙を支持するように形成されている。このように構成すれば、最大用紙のはみ出し部分が給紙装置の載置面に接触するのを容易に防止することができる。これにより、より上層側の最大用紙が下方に垂れ下がって後方（給紙方向と反対方向）にずれるなど最大用紙の載置状態が乱れることなく、給紙性能を容易に維持することができる。
【００１５】
上記給紙トレイが把持部をさらに含む構成において、好ましくは、把持部は、トレイ本体部の後端側からトレイ本体部に載置された最大用紙のはみ出し部分よりも後方まで突出するように構成されており、把持部は、最大用紙のはみ出し部分よりも後方まで突出した状態で、最大用紙のはみ出し部分の後端位置をガイドするガイド部を有する。このように構成すれば、把持部に設けられたガイド部を有効に利用して、最大用紙を、最大用紙よりも給紙方向の長さが小さいトレイ本体部における給紙方向に沿って適切に載置することができる。また、これにより、給紙動作時に給紙不良が起きるのを低減することができる。
【００１６】
この場合、好ましくは、ガイド部は、トレイ本体部に載置された最大用紙の載置枚数を規制するために最大用紙のはみ出し部分の上面側に延びる規制部を有する。このように構成すれば、ガイド部に設けられた規制部を有効に利用して、最大用紙が過剰に載置されるのを抑制することができる。また、より上層側の最大用紙のはみ出し部分の上方への乱れ状態も抑制することができる。
【００１７】
この発明の第２の局面による画像形成装置は、用紙が載置されるトレイ本体部を含む給紙トレイと、給紙トレイが装着され、給紙トレイから給紙された用紙を搬送可能に構成された装置本体と、装置本体内で用紙に画像を印刷する印刷部とを備え、トレイ本体部の給紙方向の長さは、装置本体側に給紙可能な最大寸法を有する最大用紙の給紙方向に沿った長さよりも小さく構成されており、トレイ本体部が装置本体よりも外側にはみ出さず、かつ、トレイ本体部に載置された最大用紙がトレイ本体部よりも装置本体の外側に向かってはみ出すはみ出し部分を有した状態で、最大用紙が装置本体側に給紙されるように構成されている。
【００１８】
この発明の第２の局面による画像形成装置では、上記のように、トレイ本体部が装置本体よりも外側にはみ出さず、かつ、トレイ本体部に載置された最大用紙がトレイ本体部よりも装置本体の外側に向かってはみ出すはみ出し部分を有した状態で、最大用紙が装置本体側に給紙されるように構成されることによって、給紙可能な最大用紙を装置本体側に給紙する場合においても、トレイ本体部が最大用紙の給紙方向に沿った長さに対応する大きさでかつ装置本体よりも外側にはみ出すような大きさの給紙トレイを装置本体に装着することなく、トレイ本体部が装置本体よりも外側にはみ出さない小さい給紙トレイを用いて最大用紙の給紙を行うことができる。これにより、給紙トレイのサイズを給紙可能な最大用紙のサイズに合わせる必要がないので、給紙トレイの大型化を抑制するのとともに、給紙トレイを含む装置全体および給紙トレイの装着される装置本体の小型化をも容易に図ることができる。
【発明の効果】
【００１９】
本発明によれば、上記のように、給紙トレイの大型化を抑制するのとともに、給紙トレイを含む装置全体および給紙トレイの装着される装置本体の小型化を容易に図ることが可能な給紙装置および画像形成装置を提供することができる。
【図面の簡単な説明】
【００２０】
【図１】本発明の第１実施形態による複合機の全体構成を示した斜視図である。
【図２】本発明の第１実施形態による複合機に装着される給紙トレイの構成を示した斜視図である。
【図３】本発明の第１実施形態による複合機に装着される給紙トレイに最大用紙が載置された状態を示した斜視図である。
【図４】本発明の第２実施形態による複合機の全体構成を示した斜視図である。
【図５】本発明の第２実施形態による複合機に装着される給紙トレイの構成を示した斜視図である。
【図６】本発明の第２実施形態による複合機に装着される給紙トレイに最大用紙が載置された状態を示した断面図である。
【図７】本発明の第３実施形態による複合機に装着される給紙トレイの構成を示した斜視図である。
【図８】本発明の第４実施形態による複合機に装着される給紙トレイの構成を示した斜視図である。
【図９】本発明の第４実施形態による複合機に装着される給紙トレイに最大用紙が載置された状態を示した断面図である。
【図１０】本発明の第４実施形態による複合機に装着される給紙トレイに最大用紙が載置された状態を示した断面図である。
【図１１】本発明の第４実施形態の変形例による複合機に装着される給紙トレイの構成を示した斜視図である。
【図１２】本発明の第５実施形態による複合機の全体構成を示した斜視図である。
【図１３】本発明の第５実施形態による複合機に装着される給紙トレイの蓋部材を閉じた状態を示した断面図である。
【図１４】本発明の第５実施形態による複合機に装着される給紙トレイの蓋部材を開いて最大用紙が載置された状態を示した断面図である。
【発明を実施するための形態】
【００２１】
以下、本発明を具体化した実施形態を図面に基づいて説明する。
【００２２】
（第１実施形態）
まず、図１〜図３を参照して、本発明の第１実施形態による複合機１００の構成について説明する。なお、複合機１００は、本発明の「給紙装置」および「画像形成装置」の一例である。
【００２３】
本発明の第１実施形態による複合機１００は、図１に示すように、装置本体９０と、装置本体９０に着脱可能に装着される給紙トレイ１０（図１および図２参照）とを備えている。また、複合機１００には、画像読取部２０および印刷部３０が装置本体９０内に内蔵されている。これにより、複合機１００は、天面側（Ｚ１側）の原稿トレイ２１にセットされた読取用の原稿（図示せず）を画像読取部２０により読み取った後、読み取られたデータ（イメージや文字）を印刷部３０により印刷（複写）したり、図示しない端末装置（ＰＣや他のＦＡＸ機器など）からオンライン出力されたデータ（文書データや画像データ）を印刷部３０により印刷する動作などを複合的に行う機能を有している。
【００２４】
また、装置本体９０の前面部９１（Ｙ２側）には、複合機１００に対するユーザ操作を受け付ける操作部４０が配置されている。操作部４０は、複数の操作ボタン４１や液晶表示パネル４２などにより構成されており、ユーザが液晶表示パネル４２の表示内容を見ながら操作ボタン４１を操作して所定の機器操作が行えるように構成されている。また、印刷済みの用紙１は、給紙トレイ１０の直上に設けられた用紙排出部５０に排紙されるように構成されている。なお、以下では、複合機１００における幅方向（左右方向）をＸ方向とし、複合機１００における前後方向（手前側および奥側）をＹ方向として説明を行う。
【００２５】
また、装置本体９０は、前面部９１から下面部９２までのＹ方向（前後（奥行）方向）において最大幅Ｌ１を有している。また、複合機１００は、前面部９１における操作部４０の下方にＸ方向に沿って横長形状（矩形形状）に開口された開口部９１ａを有しており、給紙トレイ１０が前端部１０ａ（図２参照）を先頭にして開口部９１ａを介してＹ１方向にスライド挿入されるように構成されている。これにより、給紙トレイ１０は、装置本体９０内の底部近傍において用紙１の搬送方向（給紙方向）をＹ方向に揃えるとともに略水平な状態で装置本体９０に装着されるように構成されている。
【００２６】
また、給紙トレイ１０は、図２に示すように、用紙１（図３参照）が載置される概略平坦なトレイ本体部１１と、トレイ本体部１１の外周部に沿ってトレイ本体部１１を３方向（Ｘ１側、Ｘ２側およびＹ１側）から取り囲む壁部１２ａ、壁部１２ｂおよび壁部１２ｃとを含んでいる。ここで、壁部１２ａは、トレイ本体部１１のＸ１側の端部においてＹ方向に延びるとともに、壁部１２ｂは、トレイ本体部１１のＸ２側の端部においてＹ方向に延びている。また、壁部１２ｃは、給紙トレイ１０の前端部１０ａ（Ｙ１側）において壁部１２ａおよび壁部１２ｂの端部同士をＸ方向に繋いでいる。なお、給紙トレイ１０に装填される用紙１としては、印刷前の白紙状態の紙製のものに加えて、ＯＨＰシートなどの透明なフィルム状のシートも含まれる。
【００２７】
また、給紙トレイ１０は、用紙１のＸ方向（幅方向）の寸法に応じて離間間隔が調整可能に構成された一対の用紙ガイド部１３ａ（Ｘ１側）および用紙ガイド部１３ｂ（Ｘ２側）を有している。すなわち、用紙ガイド部１３ａと用紙ガイド部１３ｂとは、幅方向に沿って互いに接近したり離間したりすることによって用紙１を幅方向において両側から保持するとともに、常に用紙１の幅方向の中心を給紙トレイ１０（トレイ本体部１１）の中心に位置させる機能を兼ね備えている。したがって、給紙トレイ１０は、用紙ガイド部１３ａおよび用紙ガイド部１３ｂの移動範囲内で様々なサイズの用紙１を給紙可能に構成されている。
【００２８】
また、壁部１２ｃは、図２に示すように、Ｘ方向に互いに所定の間隔を隔てて配置された複数（４箇所）の用紙分離部１２ｄを有している。各々の用紙分離部１２ｄは、トレイ本体部１１から上方（Ｚ１方向）に向かって前方（Ｙ１方向）に傾斜する傾斜面１２ｅを有している。したがって、複数枚の用紙１がトレイ本体部１１上に載置（積層）された場合、下側から上側に向かって各々の用紙１の給紙方向における前端（後述する最大用紙５の前端５ａ）が傾斜面１２ｅの垂直面（Ｚ方向）からの前傾角度分だけ前方にずらされて配置されるように構成されている。これにより、給紙トレイ１０に載置された最上部の１枚の用紙１が他の下部の用紙１から容易に分離されて印刷部３０（図１参照）へと給紙されるように構成されている。
【００２９】
ここで、第１実施形態では、図３に示すように、トレイ本体部１１の給紙方向（Ｙ方向）の長さＬ２は、Ａ４サイズ、Ａ５サイズ、Ｂ４サイズ、レターサイズおよび葉書サイズなど、種々の用紙サイズを有する用紙１のうち、装置本体９０（図１参照）側に給紙可能な最大寸法を有する最大用紙５の給紙方向（Ｙ方向）に沿った長さＬ３よりも小さく（Ｌ２＜Ｌ３）構成されている。つまり、給紙トレイ１０に最大用紙５を載置するとともに最大用紙５の前端５ａ（Ｙ１側）を用紙分離部１２ｄに突き当てた状態において、最大用紙５は、後端５ｂ（Ｙ２側）がトレイ本体部１１の後端部１１ｂよりも後方（Ｙ２方向）にはみ出すはみ出し部分５ｃを有した状態でもトレイ本体部１１上に載置可能に構成されている。この場合、はみ出し部分５ｃは長さＬ４（≒Ｌ３−Ｌ２）のはみ出し量を有している。なお、最大用紙５におけるはみ出し部分５ｃの割合は約半分以下であるのが好ましく、より好ましくは３分の１以下である。給紙トレイ１０は、この範囲内で最大用紙５を載置することが可能に構成されている。また、トレイ本体部１１の給紙方向（Ｙ方向）の長さＬ２は、装置本体９０（図１参照）の最大幅Ｌ１（図１参照）よりも若干小さく（Ｌ２＜Ｌ１）形成されている。なお、最大用紙５は、本発明の「用紙」の一例である。
【００３０】
したがって、第１実施形態では、図１に示すように、給紙トレイ１０が装置本体９０に装着された場合、トレイ本体部１１の後端部１１ｂが装置本体９０における前面部９１よりも外側（Ｙ２側）にはみ出さず、かつ、トレイ本体部１１に載置された最大用紙５がトレイ本体部１１よりも装置本体９０の外側に向かってＹ２方向にはみ出すはみ出し部分５ｃを有した状態で、最大用紙５が装置本体９０（印刷部３０）側に給紙されるように構成されている。なお、複合機１００では、トレイ本体部１１の後端部１１ｂが装置本体９０における前面部９１にほぼ揃えられた状態で給紙トレイ１０が装置本体９０に装着されている。
【００３１】
これにより、複合機１００は、最大用紙５の給紙方向（Ｙ方向）における後端５ｂがトレイ本体部１１のみならず装置本体９０における前面部９１よりも外側（Ｙ２側）にまではみ出した状態でも最大用紙５の給紙が可能であるように構成されている。したがって、複合機１００では、最大用紙５を装置本体９０側に給紙する場合においても、トレイ本体部１１が最大用紙５の給紙方向に沿った長さＬ３（図３参照）に対応する大きさでかつ装置本体９０よりも外側にはみ出すような大きさの大型の給紙トレイを装置本体９０に装着することなく、トレイ本体部１１が装置本体９０よりも外側（Ｙ２側）にはみ出さない小型の給紙トレイ１０を用いて最大用紙５の給紙を行うことが可能に構成されている。
【００３２】
また、図２に示すように、給紙トレイ１０は、後端部１１ｂの近傍領域においてトレイ本体部１１から上方（Ｚ１方向）に延びるように形成された複数（４箇所）のリブ１４を有している。また、各々のリブ１４は、前方側（Ｙ１側）から後方側（Ｙ２側）に向かって上方への突出高さが略一定の割合で徐々に増加するように形成された尾根部１４ａを有している。なお、リブ１４は、本発明の「支持部」の一例である。
【００３３】
これにより、第１実施形態では、図３に示すように、トレイ本体部１１に載置される最大用紙５は、リブ１４における尾根部１４ａの傾斜形状に沿って下面５ｄの一部の領域が支持されるように構成されている。すなわち、最大用紙５は、前端５ａ側からはみ出し部分５ｃ側に向かって最大用紙５がＺ１方向に緩やかな上反り形状を有してトレイ本体部１１上に載置される。したがって、トレイ本体部１１の後端部１１ｂから後方にはみ出す最大用紙５のはみ出し部分５ｃがテーブル上面（図示せず）などの複合機１００の載置面に向けてＺ２方向に垂れ下がるのが抑制されている。この場合、はみ出し部分５ｃの下面５ｄとトレイ本体部１１の載置面（上面）とは、最大間隔Ｈを有して互いに離間している。
【００３４】
このように、複合機１００では、装置本体９０のＹ方向の最大幅Ｌ１（図１参照）よりも長い長さＬ３を有する最大用紙５が給紙される場合であっても、装置本体９０の前面部９１（図１参照）から手前側（Ｙ２側）に突出しないような小さい給紙トレイ１０を用いることが可能に構成されている。したがって、装置本体９０は、給紙トレイ１０のサイズ（給紙方向の長さＬ２）に関係なく外形サイズの小型化が図られている。このようにして、第１実施形態の複合機１００は構成されている。
【００３５】
第１実施形態では、上記のように、トレイ本体部１１が装置本体９０よりも外側にはみ出さず、かつ、トレイ本体部１１に載置された最大用紙５がトレイ本体部１１よりも装置本体９０の外側に向かってはみ出すはみ出し部分５ｃを有した状態で、最大用紙５が装置本体９０側に給紙されるように構成されることによって、給紙可能な最大用紙５を装置本体９０側に給紙する場合においても、トレイ本体部１１が最大用紙５の給紙方向に沿った長さＬ３に対応する大きさでかつ装置本体９０よりも外側にはみ出すような大きさの給紙トレイを装置本体９０に装着することなく、トレイ本体部１１が装置本体９０よりも外側にはみ出さない小さい給紙トレイ１０を用いて最大用紙５の給紙を行うことができる。これにより、給紙トレイ１０のサイズ（給紙方向の長さＬ２）を給紙可能な最大用紙５のサイズ（給紙方向の長さＬ３）に合わせる必要がないので、給紙トレイ１０の大型化を抑制するのとともに、給紙トレイ１０を含む複合機１００全体および給紙トレイ１０の装着される装置本体９０の小型化をも容易に図ることができる。
【００３６】
また、第１実施形態では、トレイ本体部１１に載置された最大用紙５のはみ出し部分５ｃが下方に垂れ下がるのが抑制されるように最大用紙５を支持するリブ１４をトレイ本体部１１に設ける。これにより、最大用紙５を支持するリブ１４によって最大用紙５のはみ出し部分５ｃがテーブル上面などの複合機１００の載置面に向けて下方（Ｚ２方向）に垂れ下がらない状態で最大用紙５をトレイ本体部１１上に積層させることができるので、最大用紙５の積層状態を正常に維持することができる。
【００３７】
また、第１実施形態では、トレイ本体部１１に載置される最大用紙５の前端５ａ側からはみ出し部分５ｃ側に向かって最大用紙５がＺ１方向に緩やかな上反り形状を有するように最大用紙５を支持するようにリブ１４を形成する。これにより、最大用紙５のはみ出し部分５ｃが複合機１００の載置面（テーブル上面など）に接触するのを容易に防止することができる。すなわち、より上層側の最大用紙５が下方に垂れ下がって後方（給紙方向と反対方向）にずれるなど最大用紙５の載置状態が乱れることなく、給紙性能を容易に維持することができる。
【００３８】
（第２実施形態）
次に、図４〜図６を参照して、第２実施形態について説明する。この第２実施形態では、トレイ本体部１１にユーザが把持可能な延長部２１５を設けた例について説明する。なお、延長部２１５は、本発明の「把持部」の一例である。また、図中において、上記第１実施形態と同様の構成には、第１実施形態と同じ符号を付して図示している。
【００３９】
本発明の第２実施形態における複合機２００においても、図４に示すように、給紙可能な最大用紙５がトレイ本体部１１よりも装置本体９０の外側に向かってＹ２方向にはみ出すはみ出し部分５ｃを有した状態で装置本体９０側に給紙されるように構成されている。なお、複合機２００は、本発明の「給紙装置」および「画像形成装置」の一例である。
【００４０】
ここで、第２実施形態では、図４および図５に示すように、給紙トレイ２１０は、トレイ本体部１１の後端部１１ｂ側でかつ最大用紙５の載置領域以外の部分に露出可能にトレイ本体部１１に設けられた延長部２１５を含んでいる。そして、トレイ本体部１１にはみ出し部分５ｃ（図４参照）を有する最大用紙５が載置された状態でユーザにより延長部２１５が把持されることによって、給紙トレイ２１０の装置本体９０（図４参照）に対する着脱作業が行われるように構成されている。
【００４１】
また、図６に示すように、延長部２１５は、トレイ本体部１１の後端部１１ｂからトレイ本体部１１に載置された最大用紙５のはみ出し部分５ｃの少なくとも下方領域にまで突出するように構成されている。また、この場合、延長部２１５のＹ２側の端部は、はみ出し部分５ｃよりも後方（Ｙ２側）まで引き出されるように構成されている。そして、延長部２１５と最大用紙５のはみ出し部分５ｃの下面５ｄとは、最大間隔Ｄを有して互いに離間している。したがって、トレイ本体部１１に載置された最大用紙５は、はみ出し部分５ｃが延長部２１５に対して常に接触しないような状態で装置本体９０（図４参照）に給紙されるように構成されている。また、延長部２１５と最大用紙５のはみ出し部分５ｃの下面５ｄとの隙間（最大間隔Ｄ）にユーザが手を差し入れながらはみ出し部分５ｃを掴んで給紙トレイ２１０から最大用紙５を抜き取ったり、反対に、ユーザが新たな最大用紙５の後端５ｂ側を掴んだ状態でユーザの手が延長部２１５に無用に接触することなく最大用紙５を円滑に補充したりすることも可能に構成されている。
【００４２】
また、第２実施形態では、図５に示すように、延長部２１５は、ピン部材２１６を用いてトレイ本体部１１の下面（Ｚ２側の裏面）側に取り付けられている。また、ピン部材２１６は、延長部２１５とトレイ本体部１１とを所定の押圧力（Ｚ方向）を有して挟み込むことにより延長部２１５がトレイ本体部１１の用紙載置面１１ｃに沿って矢印Ｐ方向に回動可能に取り付けられている。これにより、給紙トレイ２１０の非使用時には、ユーザが延長部２１５を所定の回動力で矢印Ｐ方向に概略１８０度だけ押し回すことにより、延長部２１５は、トレイ本体部１１の下面側に完全に隠れるように収納される。したがって、複合機２００（図４参照）の非使用時には、延長部２１５がトレイ本体部１１の後端部１１ｂから後方（Ｙ２側）に無用に突出しないように構成されている。
【００４３】
なお、図４に示すように、給紙トレイ２１０を装着する際には、ユーザが延長部２１５を把持してトレイ本体部１１を装置本体９０側にＹ１方向に押し込む必要があるため、延長部２１５は容易に回動してはならない。このため、延長部２１５は、トレイ本体部１１に対してある程度の摩擦力を伴って回動されるような締め付け力でピン部材２１６により回動可能に固定されている。
【００４４】
なお、第２実施形態における複合機２００のその他の構成については、上記第１実施形態と同様である。
【００４５】
第２実施形態では、上記のように、給紙トレイ２１０は、トレイ本体部１１の後端部１１ｂ近傍でかつ最大用紙５の載置領域以外の部分に露出可能にトレイ本体部１１に設けられた延長部２１５を含み、トレイ本体部１１にはみ出し部分５ｃを有する最大用紙５が載置された状態でユーザにより延長部２１５が把持されることによって、給紙トレイ１０の装置本体９０に対する着脱作業が行われるように構成されている。これにより、ユーザは、装置本体９０よりも外側にはみ出すことなく装置本体９０内に装着されたトレイ本体部１１を延長部２１５を把持しながら装置本体９０から容易に取り出すことができる。この際、載置された最大用紙５に隠れてトレイ本体部１１にアクセスしにくいような給紙トレイ２１０であっても、最大用紙５の載置領域以外の部分に露出可能にトレイ本体部１１に設けられた延長部２１５を介して最大用紙５に触れることなく給紙トレイ２１０を装置本体９０から取り出すことができる。また、はみ出し部分５ｃを有する最大用紙５に触れることなく延長部２１５を介してトレイ本体部１１をＹ１方向に押し込みながら装着することもできるので、給紙トレイ２１０の使い勝手を向上させることができる。
【００４６】
また、第２実施形態では、延長部２１５は、トレイ本体部１１の後端部１１ｂからトレイ本体部１１に載置された最大用紙５のはみ出し部分５ｃの少なくとも下方領域にまで突出するように構成されており、延長部２１５と最大用紙５のはみ出し部分５ｃの下面５ｄとは、最大間隔Ｄを有して互いに離間している。これにより、最大用紙５のはみ出し部分５ｃの下面５ｄから下方に離間した位置に延長部２１５が配置されているので、ユーザは、最大用紙５のはみ出し部分５ｃに触れずに延長部２１５を容易に把持することができる。また、延長部２１５の把持時に最大用紙５のはみ出し部分５ｃにユーザの手を触れにくくすることができるので、最大用紙５の載置状態（積層状態）を容易に正常に維持することができる。また、上記とは反対に、延長部２１５と最大用紙５のはみ出し部分５ｃの下面５ｄとの離間領域（隙間）にユーザが手を差し入れてトレイ本体部１１上の最大用紙５を必要に応じて容易に抜き取ることもできるので、把持部２１５を設けても使い勝手のよい給紙トレ２１０イに保つことができる。
【００４７】
また、第２実施形態では、延長部２１５は、トレイ本体部１１の用紙載置面１１ｃに沿って矢印Ｐ方向に回動可能に取り付けられており、延長部２１５は、給紙トレイ１０が装置本体９０に装着された状態で矢印Ｐ方向に回動されることによりトレイ本体部１１の裏面側に収納可能に構成されている。これにより、複合機２００の製品出荷時やユーザが複合機２００を使用しない場合には、延長部２１５がトレイ本体部１１の裏面側に収納された状態で給紙トレイ１０を装置本体９０内に装着しておくことができるので、延長部２１５が装置本体９０よりも外側にはみ出すのを容易に防止することができる。なお、第２実施形態のその他の効果は、上記第１実施形態と同様である。
【００４８】
（第３実施形態）
次に、図１、図３および図７を参照して、第３実施形態について説明する。この第３実施形態では、トレイ本体部１１に上記第２実施形態で示した延長部２１５とは異なる態様を有するユーザが把持可能な掛かり部３１７を設けた例について説明する。なお、掛かり部３１７は、本発明の「把持部」の一例である。また、図中において、上記第１実施形態と同様の構成には、第１実施形態と同じ符号を付して図示している。
【００４９】
本発明の第３実施形態における複合機（図示せず）に装着される給紙トレイ３１０は、図７に示すように、トレイ本体部１１のＸ方向（幅方向）両端部に設けられた壁部３１２ａ（Ｘ１側）および壁部１２ｂ（Ｘ２側）を有している。
【００５０】
ここで、第３実施形態では、給紙トレイ３１０は、トレイ本体部１１の後端部１１ｂ側でかつ最大用紙５（図３参照）の載置領域以外の部分となる壁部３１２ａのＹ２側の端部に露出可能にトレイ本体部１１に設けられた掛かり部３１７を含んでいる。なお、壁部３１２ａと掛かり部３１７とは一体的に形成されている。そして、トレイ本体部１１にはみ出し部分５ｃ（図３参照）を有する最大用紙５が載置された状態でユーザにより掛かり部３１７が把持されることによって、給紙トレイ３１０の装置本体９０（図１参照）に対する着脱作業が行われるように構成されている。すなわち、ユーザは最大用紙５に触れることなく掛かり部３１７に指を引っ掛けてトレイ本体部１１を取り出したり、掛かり部３１７に指を押し当てながらトレイ本体部１１を装置本体９０に押し込んで装着することが可能に構成されている。
【００５１】
なお、第３実施形態における複合機のその他の構成については、上記第１実施形態と同様である。
【００５２】
第３実施形態では、上記のように、給紙トレイ３１０は、トレイ本体部１１の後端部１１ｂ近傍でかつ最大用紙５の載置領域以外の部分となる壁部３１２ａのＹ２側の端部に露出可能にトレイ本体部１１に設けられた掛かり部３１７を含み、トレイ本体部１１にはみ出し部分５ｃを有する最大用紙５が載置された状態でユーザにより掛かり部３１７が把持されることによって、給紙トレイ３１０の装置本体９０に対する着脱作業が行われるように構成されている。これにより、ユーザは、装置本体９０よりも外側にはみ出すことなく装置本体９０内に装着されたトレイ本体部１１を掛かり部３１７を把持しながら装置本体９０から容易に取り出すことができる。この際、載置された最大用紙５に隠れてトレイ本体部１１にアクセスしにくいような給紙トレイ１０であっても、最大用紙５の載置領域以外の部分に露出可能にトレイ本体部１１に設けられた掛かり部３１７を介して最大用紙５に触れることなく給紙トレイ３１０を装置本体９０から取り出すことができる。また、はみ出し部分５ｃを有する最大用紙５に触れることなく掛かり部３１７を介してトレイ本体部１１を押し込んで装着することもできるので、給紙トレイ３１０の使い勝手を向上させることができる。なお、第３実施形態のその他の効果は、上記第１実施形態と同様である。
【００５３】
（第４実施形態）
次に、図８〜図１０を参照して、第４実施形態について説明する。この第４実施形態では、上記第２実施形態で示したトレイ本体部１１に設けられたユーザが把持可能な延長部２１５の先端部にガイド部４１６をさらに設けた例について説明する。また、図中において、上記第２実施形態と同様の構成には、第２実施形態と同じ符号を付して図示している。
【００５４】
本発明の第４実施形態における複合機（図示せず）においても、図９に示すように、給紙可能な最大用紙５がトレイ本体部１１よりも装置本体９０の外側に向かってＹ２方向にはみ出すはみ出し部分５ｃを有した状態で装置本体９０側に給紙されるように構成されている。
【００５５】
ここで、第４実施形態では、延長部２１５にはガイド部４１６が設けられている。具体的には、図８および図９に示すように、延長部２１５が最大用紙５（図９参照）のはみ出し部分５ｃ（図９参照）よりも後方（Ｙ２側）まで突出した状態で、積層された最大用紙５のはみ出し部分５ｃの後端５ｂの位置をガイドするガイド部４１６が延長部２１５に取り付けられている。これにより、延長部２１５に設けられたガイド部４１６を有効に利用して、最大用紙５を、最大用紙５よりも給紙方向の長さＬ２が小さいトレイ本体部１１における給紙方向に沿って適切に載置することが可能に構成されている。
【００５６】
また、図９に示すように、ガイド部４１６は最大用紙５の後端５ｂに当接する当接面４１６ａを有している。また、当接面４１６ａは、ガイド部４１６の根元部から上方に延びる先端部に向かって前方（Ｙ１方向）に傾斜する形状を有している。したがって、複数枚の最大用紙５がトレイ本体部１１上に載置（積層）された場合、下側から上側に向かって各々の最大用紙５の給紙方向における後端５ｂが当接面４１６ａの垂直面（Ｚ方向）からの前傾角度分だけ前方にずらされて配置されるように構成されている。これにより、給紙トレイ１０に載置された複数枚の最大用紙５が用紙分離部１２ｄの前方（Ｙ１方向）に傾斜する傾斜面１２ｅに追随して載置されるようになる。
【００５７】
また、図８に示すように、トレイ本体部１１のＸ方向の略中央部には、Ｙ方向に沿って直線状に延びるとともに厚み方向（Ｚ方向）に貫通する１つの長孔４１１ａが形成されている。そして、延長部２１５は、長孔４１１ａに挿入されたピン部材４１７を用いてトレイ本体部１１の下面（裏面）側に取り付けられている。また、ピン部材４１７は、延長部２１５とトレイ本体部１１とを所定の押圧力（Ｚ方向）を有して挟み込むことにより延長部２１５がレイ本体部１１の用紙載置面１１ｃに沿ってＹ方向（Ｙ１方向およびＹ２方向）にスライド移動可能に取り付けられている。これにより、給紙トレイ４１０の非使用時には、ユーザが延長部２１５を前方（矢印Ｙ１方向）に押すことによりピン部材４１７が長孔４１１ａ内をＹ１方向に移動されて、延長部２１５は、トレイ本体部１１の下面側（下面側）に収納されるように構成されている。
【００５８】
なお、給紙トレイ４１０を装着する際には、ユーザが延長部２１５を把持してトレイ本体部１１を装置本体９０側にＹ１方向に押し込む必要があるため、延長部２１５のみが容易にスライド移動してはならない。このため、延長部２１５は、トレイ本体部１１に対してある程度の摩擦力を伴ってスライド移動されるような締め付け力でピン部材４１７により摺動可能に固定されている。
【００５９】
また、図８に示すように、トレイ本体部１１の後端部１１ｂには、ガイド部４１６に対応する部分に内側面（厚み方向）がＹ１方向に凹状に窪まされた切欠き部１１ｄが形成されている。したがって、延長部２１５がトレイ本体部１１の下面（Ｚ２側の裏面）側に収納される際、ガイド部４１６は切欠き部１１ｄ内の位置まで移動（退避）される。したがって、ガイド部４１６を有する延長部２１５がトレイ本体部１１の後端部１１ｂから後方（Ｙ２側）に突出しないように構成されている。
【００６０】
また、第４実施形態では、図８に示すように、ガイド部４１６は、当接面４１６ａの先端領域からＹ１方向に略水平に庇状に延びる規制部４１８を有している。規制部４１８は、トレイ本体部１１に載置された最大用紙５のはみ出し部分５ｃの上面（Ｚ１側）に沿って延びており、規制部４１８は、トレイ本体部１１に載置された最大用紙５の載置枚数を規制するために設けられている。これにより、図９に示すように、ガイド部４１６に設けられた規制部４１８を有効に利用して、最大用紙５が過剰に載置されるのが抑制されている。
【００６１】
また、図８および図１０に示すように、給紙トレイ４１０のトレイ本体部１１は、後端部１１ｂの近傍領域に上方（Ｚ１方向）に延びるように形成された複数のリブ４０１（２個）およびリブ４０２（２個）を有している。ここで、リブ４０１はリブ４０２よりも相対的に大きい。また、リブ４０１は、壁部１２ａ（Ｘ１側）および壁部１２ｂ（Ｘ２側）の各々により近い位置に形成される一方、リブ４０２は、リブ４０１よりもトレイ本体部１１のＸ方向の中央側に形成されている。また、図８に示すように、リブ４０１およびリブ４０２の各々は、前方側（Ｙ１側）から後方側（Ｙ２側）に向かって上方への突出高さが徐々に増加するように構成されている。これにより、図１０に示すように、最大用紙５は、給紙方向（Ｙ方向）のみならず幅方向（Ｘ方向）にも反り形状を有してトレイ本体部１１に載置されるように構成されている。この場合、中央部から幅方向（Ｘ方向）の端部に向かって最大用紙５の上面が上反り形状（下方向に凸な形状）を有するように載置されている。したがって、トレイ本体部１１の後端部１１ｂから後方にはみ出す最大用紙５のはみ出し部分５ｃがテーブル上面（図示せず）などの載置面に向けてＺ２方向に垂れ下がるのが抑制されている。なお、リブ４０１およびリブ４０２は、本発明の「支持部」の一例である。
【００６２】
なお、第４実施形態における複合機のその他の構成については、上記第１実施形態と同様である。
【００６３】
第４実施形態では、上記のように、延長部２１５は、トレイ本体部１１の後端部１１ｂ側からトレイ本体部１１に載置された最大用紙５のはみ出し部分５ｃよりも後方まで突出するように構成されており、延長部２１５は、最大用紙５のはみ出し部分５ｃよりも後方まで突出した状態で、最大用紙５のはみ出し部分５ｃの後端５ｂの位置をガイドするガイド部４１６を有する。これにより、延長部２１５に設けられたガイド部４１６を有効に利用して、最大用紙５を、最大用紙５の長さＬ３よりも給紙方向の長さＬ２が小さいトレイ本体部１１における給紙方向に沿って適切に載置することができる。また、これにより、給紙動作時に給紙不良が起きるのを低減することができる。
【００６４】
また、第４実施形態では、トレイ本体部１１の略中央部にＹ方向に沿って直線状に延びる長孔４１１ａを形成するとともに、トレイ本体部１１の後端部１１ｂは、延長部２１５のガイド部４１６に対応する部分に切欠き部１１ｄを形成する。これにより、ガイド部４１６が設けられた延長部２１５をトレイ本体部１１に対して矢印Ｙ１方向にスライド移動されることにより延長部２１５をトレイ本体部１１の裏面側に支障なく収納することができる。
【００６５】
また、第４実施形態では、ガイド部４１６は、トレイ本体部１１に載置された最大用紙５の載置枚数を規制するために最大用紙５のはみ出し部分５ｃの上面側に延びる規制部４１８を有する。これにより、ガイド部４１６に設けられた規制部４１８を有効に利用して、最大用紙５が過剰に載置されるのを抑制することができる。さらには、より上層側の最大用紙５のはみ出し部分５ｃの上方への乱れ状態も抑制することができる。なお、第４実施形態のその他の効果は、上記第１および第２実施形態と同様である。
【００６６】
（第４実施形態の変形例）
次に、図１１を参照して、第４実施形態の変形例について説明する。この第４実施形態の変形例では、上記第４実施形態とは異なり、ガイド部４１６を有する延長部２１５がピン部材２１６を中心に矢印Ｐ方向に回動されることによりトレイ本体部１１の下面（裏面）側に収納される例について説明する。また、図中において、上記第４実施形態と同様の構成には、第４実施形態と同じ符号を付して図示している。
【００６７】
すなわち、第４実施形態の変形例における給紙トレイ４２０では、図１１に示すように、トレイ本体部１１の中央部から一方側（Ｙ２側）に寄せられた領域に、内側面（厚み方向）が後端部１１ｂから円弧の一部を形成するような部分円弧状（概略三日月形）を有してＹ１方向に凹状に窪まされた切欠き部１１ｅが形成されている。また、ピン部材２１６は、延長部２１５とトレイ本体部１１とを所定の押圧力（Ｚ方向）を有して挟み込むことにより延長部２１５がトレイ本体部１１の用紙載置面１１ｃに沿って回動可能に取り付けられている。これにより、給紙トレイ４２０の非使用時には、ユーザが延長部２１５を所定の回動力により矢印Ｐ方向に略９０度だけ押し回すことにより、ガイド部４１６が部分円弧状の切欠き部１１ｅ内を移動（回動）しながら延長部２１５が全体としてトレイ本体部１１の下面側（下面側）に収納されるように構成されている。
【００６８】
なお、第４実施形態の変形例における複合機のその他の構成については、上記第４実施形態と同様である。
【００６９】
第４実施形態の変形例では、上記のように、トレイ本体部１１の中央部から一方側（Ｙ２側）に寄せられた領域に部分円弧状（三日月形）の切欠き部１１ｅを形成する。これにより、ガイド部４１６が設けられた延長部２１５をトレイ本体部１１に対して矢印Ｐ方向に回動されることにより延長部２１５をトレイ本体部１１の裏面側に支障なく収納することができる。
【００７０】
（第５実施形態）
次に、図１および図１２〜図１４を参照して、第５実施形態について説明する。この第５実施形態では、上記第１実施形態とは異なり、給紙トレイ５１０の非使用時に水平状態から垂直状態に回動することによってトレイ本体部１１の後端部１１ｂを塞ぐ蓋部材５１５をトレイ本体部１１に設けた例について説明する。なお、蓋部材５１５は、本発明の「把持部」の一例である。また、図中において、上記第１実施形態と同様の構成には、第１実施形態と同じ符号を付して図示している。
【００７１】
本発明の第５実施形態における複合機５００（図１２参照）は、複合機１００（図１参照）の場合と同様に、給紙可能な最大用紙５（図１参照）がトレイ本体部１１よりもＹ２方向にはみ出すはみ出し部分５ｃ（図１参照）を有した状態で、給紙トレイ５１０（トレイ本体部１１）に載置された最大用紙５が装置本体９０（図１２参照）側に給紙されるように構成されている。なお、複合機５００は、本発明の「給紙装置」および「画像形成装置」の一例である。
【００７２】
ここで、第５実施形態では、図１３に示すように、給紙トレイ５１０は、トレイ本体部１１の後端部１１ｂ側でかつ最大用紙５のはみ出し部分５ｃ（図１参照）の下方領域に加えて最大用紙５の載置領域以外の部分（後端部１１ｂのＸ１側およびＸ２側の端部領域）に露出可能にトレイ本体部１１に設けられた蓋部材５１５を含んでいる。また、蓋部材５１５は、Ｙ方向の断面が略Ｌ字形状を有した状態でトレイ本体部１１の壁部１２ａ（図１１参照）から壁部１２ｂ（図１１参照）までのＸ方向の長さに対応した長さ（幅）を有している。また、蓋部材５１５における一方側の端部５１５ａがトレイ本体部１１の後端部１１ｂに対して回動可能に取り付けられている。したがって、図１３に示すように、給紙トレイ５１０の非使用時（給紙トレイ５１０の収納時）には、給紙トレイ５１０が装置本体９０（図１２参照）に装着された状態で、ユーザにより蓋部材５１５が矢印Ｑ１方向に回動されて装置本体９０の外部に開口するトレイ本体部１１の後端部１１ｂ近傍を塞ぐことが可能に構成されている。これにより、蓋部材５１５によって外部の塵や埃などの異物がトレイ本体部１１に侵入するのが防止されている。また、蓋部材５１５が後端部１１ｂ近傍を塞いだ状態では、蓋部材５１５の表面５１５ｂは、複合機５００における前面部９１と略同一面に揃えられている。
【００７３】
また、第５実施形態では、図１４に示すように、ユーザにより蓋部材５１５が矢印Ｑ２方向に回動されてトレイ本体部１１の後端部１１ｂ近傍が開かれることにより、最大用紙５がトレイ本体部１１にはみ出し部分５ｃを有した状態で載置されるように構成されている。この際、蓋部材５１５は、トレイ本体部１１の後端部１１ｂからトレイ本体部１１に載置された最大用紙５のはみ出し部分５ｃの下方領域にまで突出するとともに、蓋部材５１５と最大用紙５のはみ出し部分５ｃの下面５ｄとは、最大間隔Ｄを有して互いに離間している。したがって、トレイ本体部１１に載置された最大用紙５は、はみ出し部分５ｃが蓋部材５１５に対して常に接触しないような状態で装置本体９０に給紙されるように構成されている。また、トレイ本体部１１にはみ出し部分５ｃを有する最大用紙５が載置された状態でユーザにより最大用紙５の両側（Ｘ１側およびＸ２側）に露出する蓋部材５１５の部分が把持されることによって、給紙トレイ５１０の装置本体９０に対する着脱作業が行われるように構成されている。したがって、蓋部材５１５は、トレイ本体部１１の後端部１１ｂ近傍を塞ぐ役割と、給紙トレイ５１０の着脱作業時の把持部としての役割とを兼ねている。
【００７４】
なお、第５実施形態における複合機５００のその他の構成については、上記第１および第２実施形態と同様である。
【００７５】
第５実施形態では、上記のように、蓋部材５１５は、給紙トレイ５１０の非使用時に、給紙トレイ５１０が装置本体９０に装着された状態で装置本体９０の外部に開口するトレイ本体部１１の後端部１１ｂ近傍を塞ぐことが可能に構成されている。これにより、蓋部材５１５によって装置本体９０の外部に開口するトレイ本体部１１の後端部１１ｂ近傍が塞がれるので、外部の塵や埃などの異物がトレイ本体部１１に侵入するのを容易に防止することができる。また、蓋部材５１５を給紙トレイ５１０非使用時の蓋部材として有効に利用することができる。なお、第５実施形態のその他の効果は、上記第１実施形態と同様である。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
たとえば、上記第１〜第５実施形態では、本発明の給紙装置および画像形成装置の一例としての複合機１００（２００および５００）に本発明を適用した例について示したが、本発明はこれに限られない。画像読取部２０を備えず印刷部３０のみを備えたプリンタ装置（画像形成装置）に本発明を適用してもよい。また、画像などが印刷された原稿（読取用の原稿）を本発明の「用紙」とした場合には、印刷部３０を備えず画像読取部２０のみを備えたスキャナ装置における給紙装置の部分に本発明を適用してもよい。
【００７８】
また、上記第１〜第３および第５実施形態では、トレイ本体部１１にリブ１４を設けるとともに、上記第４実施形態および第４実施形態の変形例ではトレイ本体部１１に２種類のリブ４０１およびリブ４０２を設けて最大用紙５を下方から支持するように構成した例について示したが、本発明はこれに限られない。トレイ本体部１１にリブ１４またはリブ４０１およびリブ４０２を設けない状態ではみ出し部分５ｃを有する最大用紙５を載置するようにしてもよい。
【００７９】
また、上記第２、第４実施形態および第４実施形態の変形例では、延長部２１５をトレイ本体部１１の用紙載置面１１ｃに沿ってスライド移動可能かまたは回動可能に取り付けておき、延長部２１５を用紙載置面１１ｃに沿ってスライド移動させるかまたは回動させることによってトレイ本体部１１の裏面側に収納するように構成した例について示したが、本発明はこれに限られない。たとえば、最大用紙５のはみ出し部分５ｃの下方に突出する延長部２１５の部分をトレイ本体部１１の後端部１１ｂの位置で裏面側に折り返すことによってトレイ本体部１１の裏面側に折りたたむような態様で収納するように構成してもよい。
【００８０】
また、上記第２、第４実施形態および第４実施形態の変形例では、１個の延長部２１５をトレイ本体部１１に設けた例について示したが、本発明はこれに限られない。たとえば、互いにＸ方向に平行に配置された２個の延長部２１５を設けてもよい。また、上記第３実施形態では、掛かり部３１７をトレイ本体部１１における壁部３１２ａのＹ２側の端部にのみ設けた例について示したが、本発明はこれに限られない。たとえば、壁部３１２ａのＹ２側の端部に加えて、掛かり部３１７をトレイ本体部１１における壁部１２ｂのＹ２側の端部にも設けてもよい。ユーザは最大用紙５に触れることなく左右に２つ設けられた掛かり部３１７に指を引っ掛けてトレイ本体部１１を斜行させずに取り出したり、掛かり部３１７に指を押し当てながらトレイ本体部１１を装置本体９０に斜行させずに押し込んで装着することが可能となる。
【符号の説明】
【００８１】
１  用紙
５  最大用紙（用紙）
５ａ  前端
５ｂ  後端
５ｃ  はみ出し部分
５ｄ  下面
１０、２１０、３１０、４１０、４２０、５１０  給紙トレイ
１０ａ  前端部
１１  トレイ本体部
１１ｂ  後端部
１１ｃ  用紙載置面
１２ｄ  用紙分離部
１４、４０１、４０２  リブ（支持部）
１５、２１５  延長部（把持部）
２０  画像読取部
３０  印刷部
９０  装置本体
１００、２００、５００  複合機（給紙装置、画像形成装置）
３１７  掛かり部（把持部）
４１６  ガイド部
４１８  規制部
５１５  蓋部材（把持部）
【図１】
2015034080.tif 000003
【図２】
2015034080.tif 000004
【図３】
2015034080.tif 000005
【図４】
2015034080.tif 000006
【図５】
2015034080.tif 000007
【図６】
2015034080.tif 000008
【図７】
2015034080.tif 000009
【図８】
2015034080.tif 000010
【図９】
2015034080.tif 000011
【図１０】
2015034080.tif 000012
【図１１】
2015034080.tif 000013
【図１２】
2015034080.tif 000014
【図１３】
2015034080.tif 000015
【図１４】
2015034080.tif 000016